(57)【特許請求の範囲】
【請求項１】
センサにより検出した検出データを、上位装置とデータ通信可能に接続されているアクセスポイントに対して無線送信する無線端末であって、
第１の通信性能で無線通信を行う第１の端末無線部と、
前記第１の通信性能より高い第２の通信性能で無線通信を行う第２の端末無線部と、
前記検出データのセンサ値を監視することにより前記センサ値の変動有無を検知するデータ監視部と、
前記検知の結果が変動なしを示す場合には、無線送信すべき対象データとして前記検出データの一部を抽出し、前記検知の結果が変動ありを示す場合には、前記対象データとして前記検出データの全てを抽出するデータ処理部と、
前記検知の結果が変動なしを示す場合には、前記第１の端末無線部を選択して前記対象データを無線送信し、前記検知の結果が変動ありを示す場合には、前記第２の端末無線部を選択して前記対象データとして無線送信する端末制御部とを備え、
前記データ処理部は、前記上位装置、前記アクセスポイント、または前記上位装置と前記アクセスポイントとの間に接続された通信装置からの切り戻し指示の通知に応じて、前記対象データとして前記検出データの一部を抽出するものとし、
前記端末制御部は、前記切り戻し指示の通知に応じて、前記第１の端末無線部を選択して前記対象データを無線送信するものとする
ことを特徴とする無線端末。
【請求項２】
センサにより検出した検出データを、上位装置とデータ通信可能に接続されているアクセスポイントに対して無線送信する無線端末であって、
第１の通信性能で無線通信を行う第１の端末無線部と、
前記第１の通信性能より高い第２の通信性能で無線通信を行う第２の端末無線部と、
前記検出データのセンサ値を監視することにより前記センサ値の変動有無を検知するデータ監視部と、
前記検知の結果が変動なしを示す場合には、無線送信すべき対象データとして前記検出データの一部を抽出し、前記検知の結果が変動ありを示す場合には、前記対象データとして前記検出データの全てを抽出するデータ処理部と、
前記検知の結果が変動なしを示す場合には、前記第１の端末無線部を選択して前記対象データを無線送信し、前記検知の結果が変動ありを示す場合には、前記第２の端末無線部を選択して前記対象データとして無線送信する端末制御部とを備え、
前記端末制御部は、前記上位装置、前記アクセスポイント、または前記上位装置と前記アクセスポイントとの間に接続された通信装置からの切り替え指示の通知に応じて、前記第２の端末無線部を選択して前記対象データを無線送信するものとする
ことを特徴とする無線端末。
【請求項３】
請求項１に記載の無線端末において、
前記端末制御部は、前記上位装置、前記アクセスポイント、または前記上位装置と前記アクセスポイントとの間に接続された通信装置からの切り替え指示の通知に応じて、前記第２の端末無線部を選択して前記対象データを無線送信するものとすることを特徴とする無線端末。
【請求項４】
請求項２または請求項３に記載の無線端末において、
前記データ処理部は、前記上位装置、前記アクセスポイント、または前記上位装置と前記アクセスポイントとの間に接続された通信装置からの切り替え指示の通知に応じて、前記対象データとして前記検出データの全てを抽出するものとすることを特徴とする無線端末。
【請求項５】
請求項１に記載の無線端末において、
前記第１の端末無線部は、前記対象データの無線送信のみを行う片方向無線通信部からなることを特徴とする無線端末。
【請求項６】
請求項１〜請求項５のいずれかに記載の無線端末において、
前記端末制御部は、前記対象データを前記第２の端末無線部から無線送信する際、前記対象データを複数まとめて一括送信することを特徴とする無線端末。
【請求項７】
上位装置と、中継装置を介して前記上位装置に接続されたアクセスポイントと、前記アクセスポイントと無線通信を行う無線端末とを備え、前記無線端末に搭載したセンサにより検出した検出データを前記無線端末から前記アクセスポイントへ無線送信し、前記中継装置を介して前記上位装置で収集するセンサネットワークシステムであって、前記無線端末が請求項１〜請求項６のいずれかに記載の無線端末からなることを特徴とするセンサネットワークシステム。
【請求項８】
センサにより検出した検出データを、上位装置とデータ通信可能に接続されているアクセスポイントに対して無線送信する無線端末で用いられる無線通信制御方法であって、
第１の端末無線部が、第１の通信性能で無線通信を行う第１の無線通信ステップと、
第２の端末無線部が、前記第１の通信性能より高い第２の通信性能で無線通信を行う第２の無線通信ステップと、
データ監視部が、前記検出データのセンサ値を監視することにより前記センサ値の変動有無を検知するデータ監視ステップと、
データ処理部が、前記検知の結果が変動なしを示す場合には、無線送信すべき対象データとして前記検出データの一部を抽出し、前記検知の結果が変動ありを示す場合には、前記対象データとして前記検出データの全てを抽出するデータ処理ステップと、
端末制御部が、前記検知の結果が変動なしを示す場合には、前記第１の無線通信ステップを選択して前記対象データを無線送信し、前記検知の結果が変動ありを示す場合には、前記第２の無線通信ステップを選択して前記対象データとして無線送信する端末制御ステップとを備え、
前記データ処理ステップは、前記上位装置、前記アクセスポイント、または前記上位装置と前記アクセスポイントとの間に接続された通信装置からの切り戻し指示の通知に応じて、前記対象データとして前記検出データの一部を抽出するものとし、
前記端末制御ステップは、前記切り戻し指示の通知に応じて、前記第１の無線通信ステップを選択して前記対象データを無線送信するものとする
ことを特徴とする無線通信制御方法。
【請求項９】
センサにより検出した検出データを、上位装置とデータ通信可能に接続されているアクセスポイントに対して無線送信する無線端末で用いられる無線通信制御方法であって、
第１の端末無線部が、第１の通信性能で無線通信を行う第１の無線通信ステップと、
第２の端末無線部が、前記第１の通信性能より高い第２の通信性能で無線通信を行う第２の無線通信ステップと、
データ監視部が、前記検出データのセンサ値を監視することにより前記センサ値の変動有無を検知するデータ監視ステップと、
データ処理部が、前記検知の結果が変動なしを示す場合には、無線送信すべき対象データとして前記検出データの一部を抽出し、前記検知の結果が変動ありを示す場合には、前記対象データとして前記検出データの全てを抽出するデータ処理ステップと、
端末制御部が、前記検知の結果が変動なしを示す場合には、前記第１の無線通信ステップを選択して前記対象データを無線送信し、前記検知の結果が変動ありを示す場合には、前記第２の無線通信ステップを選択して前記対象データとして無線送信する端末制御ステップとを備え、
前記端末制御ステップは、前記上位装置、前記アクセスポイント、または前記上位装置と前記アクセスポイントとの間に接続された通信装置からの切り替え指示の通知に応じて、前記第２の無線通信ステップを選択して前記対象データを無線送信するものとする
ことを特徴とする無線通信制御方法。
【発明の詳細な説明】
【技術分野】
【０００１】
本発明は、無線通信技術に関し、特に無線端末においてセンサで検出した検出データを無線送信するための無線通信制御技術に関する。
【背景技術】
【０００２】
近年、モノのインターネットと呼ばれるＩｏＴ（Internet of things）が注目されている。従来のパソコンやサーバ等に加え、デジタル化された様々な機器、環境やモノに装着されたセンサがネットワークに繋がることにより、膨大なデータが収集される。その収集のためには、施工性の観点から無線通信を利用することが多い。従来では見出せなかった高付加価値情報を収集し、新たなサービスを創出するためには、従来型の遠隔監視で行われていたような、1日に1回、１時間に１回のような低頻度のデータ収集に加え、更にきめ細かなデータ収集・解析が必要である。
【０００３】
従来、このような無線端末で検出した検出データを無線送信する技術として、逐次検出した検出データの時間的な変化率が設定値を超えたときに、それまで蓄積しておいた検出データを一括して無線送信する方法が提案されている。この方法は、リアルタイムデータを扱う火災報知機などに適用されている（例えば、非特許文献１など参照）。
【先行技術文献】
【特許文献】
【０００４】
【特許文献１】特許第３０２９７１６号公報
【発明の概要】
【発明が解決しようとする課題】
【０００５】
一般に、無線通信においては、通信頻度、通信距離、および通信品質と消費電力とはトレードオフの関係にある。したがって、低電力無線を選択すれば、通信頻度、通信品質、通信距離が期待できず、逆に通信頻度、通信距離、通信品質を必要とする場合には、ある程度消費電力の大きな無線を使わざるを得ないのが現状である。
また、電波資源は有限であるため効率的な利用が望ましく、使用する周波数帯によっては送信頻度や時間等に制約があるため、その利用については十分に留意する必要がある。
加えて、同じ用途で使われる無線端末でも、その状況に応じて要求条件が変わるため、それを考慮した無線方式の選択が必要となる。
【０００６】
図１３は、従来の無線端末の構成を示すブロック図である。図１４は、従来の無線端末におけるデータ送信タイミングを示す説明図である。
例えば、図１３に示すような単一の無線通信方式を用いた場合、無線端末から送信する検出データの送信周期が短い場合や、無線端末に複数のセンサが設けられている場合には、無線端末での無線通信回数が増大し、消費電力が増大する。
【０００７】
一方で、図１４に示すように、電池寿命の延伸のため検出データの送信間隔を長くすると、検出データの時間分解能が悪くなってリアルタイム性が損なわれてしまい、状態変化の検知が難しくなる。
また、ネットワークやサーバへの負荷低減の観点からは、検出データの変化量が小さくてデータ取得に有意性が見られない場合には、可能な限り無線端末から送信するデータ量を削減するのが望ましい。
【０００８】
本発明はこのような課題を解決するためのものであり、必要とされる時間分解能を損なうことなく、少ない電波資源および消費電力で検出データを効率よく送信できる無線通信制御技術を提供することを目的としている。
【課題を解決するための手段】
【０００９】
このような目的を達成するために、本発明にかかる無線端末は、センサにより検出した検出データを、上位装置とデータ通信可能に接続されているアクセスポイントに対して無線送信する無線端末であって、第１の通信性能で無線通信を行う第１の端末無線部と、前記第１の通信性能より高い第２の通信性能で無線通信を行う第２の端末無線部と、前記検出データのセンサ値を監視することにより前記センサ値の変動有無を検知するデータ監視部と、前記検知の結果が変動なしを示す場合には、無線送信すべき対象データとして前記検出データの一部を抽出し、前記検知の結果が変動ありを示す場合には、前記対象データとして前記検出データの全てを抽出するデータ処理部と、前記検知の結果が変動なしを示す場合には、前記第１の端末無線部を選択して前記対象データを無線送信し、前記検知の結果が変動ありを示す場合には、前記第２の端末無線部を選択して前記対象データとして無線送信する端末制御部とを備え、前記データ処理部は、前記上位装置、前記アクセスポイント、または前記上位装置と前記アクセスポイントとの間に接続された通信装置からの切り戻し指示の通知に応じて、前記対象データとして前記検出データの一部を抽出するものとし、前記端末制御部は、前記切り戻し指示の通知に応じて、前記第１の端末無線部を選択して前記対象データを無線送信するものとしたものである。
【００１０】
また、本発明にかかる他の無線端末は、センサにより検出した検出データを、上位装置とデータ通信可能に接続されているアクセスポイントに対して無線送信する無線端末であって、第１の通信性能で無線通信を行う第１の端末無線部と、前記第１の通信性能より高い第２の通信性能で無線通信を行う第２の端末無線部と、前記検出データのセンサ値を監視することにより前記センサ値の変動有無を検知するデータ監視部と、前記検知の結果が変動なしを示す場合には、無線送信すべき対象データとして前記検出データの一部を抽出し、前記検知の結果が変動ありを示す場合には、前記対象データとして前記検出データの全てを抽出するデータ処理部と、前記検知の結果が変動なしを示す場合には、前記第１の端末無線部を選択して前記対象データを無線送信し、前記検知の結果が変動ありを示す場合には、前記第２の端末無線部を選択して前記対象データとして無線送信する端末制御部とを備え、前記端末制御部は、前記上位装置、前記アクセスポイント、または前記上位装置と前記アクセスポイントとの間に接続された通信装置からの切り替え指示の通知に応じて、前記第２の端末無線部を選択して前記対象データを無線送信するものとしたものである。
【００１１】
また、本発明にかかる上記無線端末の一構成例は、前記端末制御部が、前記上位装置、前記アクセスポイント、または前記上位装置と前記アクセスポイントとの間に接続された通信装置からの切り替え指示の通知に応じて、前記第２の端末無線部を選択して前記対象データを無線送信するものとしたものである。
【００１２】
また、本発明にかかる上記無線端末の一構成例は、前記データ処理部が、前記上位装置、前記アクセスポイント、または前記上位装置と前記アクセスポイントとの間に接続された通信装置からの切り替え指示の通知に応じて、前記対象データとして前記検出データの全てを抽出するものとしたものである。
【００１３】
また、本発明にかかる上記無線端末の一構成例は、前記第１の端末無線部が、前記対象データの無線送信のみを行う片方向無線通信部からなるものである。
【００１４】
また、本発明にかかる上記無線端末の一構成例は、前記端末制御部が、前記対象データを前記第２の端末無線部から無線送信する際、前記対象データを複数まとめて一括送信するようにしたものである。
【００１５】
また、本発明にかかるセンサネットワークシステムは、上位装置と、中継装置を介して前記上位装置に接続されたアクセスポイントと、前記アクセスポイントと無線通信を行う無線端末とを備え、前記無線端末に搭載したセンサにより検出した検出データを前記無線端末から前記アクセスポイントへ無線送信し、前記中継装置を介して前記上位装置で収集するセンサネットワークシステムであって、前記無線端末が前述したいずれかの無線端末からなるものである。
【００１６】
また、本発明にかかる無線通信制御方法は、センサにより検出した検出データを、上位装置とデータ通信可能に接続されているアクセスポイントに対して無線送信する無線端末で用いられる無線通信制御方法であって、第１の端末無線部が、第１の通信性能で無線通信を行う第１の無線通信ステップと、第２の端末無線部が、前記第１の通信性能より高い第２の通信性能で無線通信を行う第２の無線通信ステップと、データ監視部が、前記検出データのセンサ値を監視することにより前記センサ値の変動有無を検知するデータ監視ステップと、データ処理部が、前記検知の結果が変動なしを示す場合には、無線送信すべき対象データとして前記検出データの一部を抽出し、前記検知の結果が変動ありを示す場合には、前記対象データとして前記検出データの全てを抽出するデータ処理ステップと、端末制御部が、前記検知の結果が変動なしを示す場合には、前記第１の無線通信ステップを選択して前記対象データを無線送信し、前記検知の結果が変動ありを示す場合には、前記第２の無線通信ステップを選択して前記対象データとして無線送信する端末制御ステップとを備え、前記データ処理ステップは、前記上位装置、前記アクセスポイント、または前記上位装置と前記アクセスポイントとの間に接続された通信装置からの切り戻し指示の通知に応じて、前記対象データとして前記検出データの一部を抽出するものとし、前記端末制御ステップは、前記切り戻し指示の通知に応じて、前記第１の無線通信ステップを選択して前記対象データを無線送信するものとしたものである。
また、本発明にかかる他の無線通信制御方法は、センサにより検出した検出データを、上位装置とデータ通信可能に接続されているアクセスポイントに対して無線送信する無線端末で用いられる無線通信制御方法であって、第１の端末無線部が、第１の通信性能で無線通信を行う第１の無線通信ステップと、第２の端末無線部が、前記第１の通信性能より高い第２の通信性能で無線通信を行う第２の無線通信ステップと、データ監視部が、前記検出データのセンサ値を監視することにより前記センサ値の変動有無を検知するデータ監視ステップと、データ処理部が、前記検知の結果が変動なしを示す場合には、無線送信すべき対象データとして前記検出データの一部を抽出し、前記検知の結果が変動ありを示す場合には、前記対象データとして前記検出データの全てを抽出するデータ処理ステップと、端末制御部が、前記検知の結果が変動なしを示す場合には、前記第１の無線通信ステップを選択して前記対象データを無線送信し、前記検知の結果が変動ありを示す場合には、前記第２の無線通信ステップを選択して前記対象データとして無線送信する端末制御ステップとを備え、前記端末制御ステップは、前記上位装置、前記アクセスポイント、または前記上位装置と前記アクセスポイントとの間に接続された通信装置からの切り替え指示の通知に応じて、前記第２の無線通信ステップを選択して前記対象データを無線送信するものとしたものである。
【発明の効果】
【００１７】
本発明によれば、センサ値の変動が検知されていない場合には、第１の端末無線部が用いられるため、少ない電波資源および消費電力で検出データを送信でき、センサ値の変動が検知されている場合には、第２の端末無線部が用いられるため、必要とされる時間分解能を損なうことなく検出データを送信できる。したがって、必要とされる時間分解能を損なうことなく、少ない電波資源および消費電力で検出データを効率よく送信することが可能となる。
【図面の簡単な説明】
【００１８】
【図１】第１の実施の形態にかかる無線端末の構成を示すブロック図である。
【図２】第１の実施の形態にかかるセンサネットワークシステムの構成例である。
【図３】第１の実施の形態にかかるデータ送信タイミングを示す説明図である。
【図４】第２の実施の形態にかかるセンサネットワークシステムの構成例である。
【図５】第２の実施の形態にかかるデータ送信タイミングを示す説明図である。
【図６】第３の実施の形態にかかるセンサネットワークシステムの構成例である。
【図７】第３の実施の形態にかかるデータ送信タイミングを示す説明図である。
【図８】第４の実施の形態にかかるセンサネットワークシステムの構成例である。
【図９】第５の実施の形態にかかる無線端末の構成を示すブロック図である。
【図１０】第５の実施の形態にかかる無線端末での無線部切り替え制御動作を示す説明図である。
【図１１】第６の実施の形態にかかるセンサネットワークシステムの構成例である。
【図１２】第６の実施の形態にかかるデータ送信タイミングを示す説明図である。
【図１３】従来の無線端末の構成を示すブロック図である。
【図１４】従来の無線端末におけるデータ送信タイミングを示す説明図である。
【発明を実施するための形態】
【００１９】
次に、本発明の実施の形態について図面を参照して説明する。
［第１の実施の形態］
まず、図１および図２を参照して、本発明の第１の実施の形態にかかる無線端末１０およびセンサネットワークシステム１について説明する。図１は、第１の実施の形態にかかる無線端末の構成を示すブロック図である。図２は、第１の実施の形態にかかるセンサネットワークシステムの構成例である。
【００２０】
図２に示すように、本発明にかかるセンサネットワークシステム１は、上位装置５０と、中継装置３０および通信ネットワーク４０を介して上位装置５０に接続されたアクセスポイント２０と、アクセスポイント２０と無線通信を行う無線端末１０とを備え、無線端末１０に搭載したセンサにより検出した検出データを無線端末１０からアクセスポイント２０へ無線送信し、中継装置３０および通信ネットワーク４０を介して上位装置５０で収集するシステムである。なお、図２に示した構成例は、説明を容易とするために最も簡素化された構成例を示したものであり、無線端末１０、アクセスポイント２０、中継装置３０については、必要に応じて複数設ければよい。
【００２１】
本発明にかかる無線端末１０は、このようなセンサネットワークシステム１で使用される無線端末であって、異なる通信性能を有する複数の端末無線部（１４，１５）を有し、センサ（１１）で検出した検出データを無線送信する際、これら端末無線部のうちから検出データのセンサ値に関する変動度合いに応じた端末無線部を選択し、通信相手となるアクセスポイント２０へ向けて無線送信する機能を有している。
【００２２】
アクセスポイント（ＡＰ）２０は、異なる通信性能を有する複数のＡＰ無線部（２１，２２）を有し、通信相手となる無線端末１０から無線送信された検出データを、その通信性能に応じたＡＰ無線部で受信し、中継装置３０および通信ネットワーク４０を介して、上位装置５０へ中継転送する機能を有している。
【００２３】
これら通信性能の具体例としては、通信速度または通信品質、あるいは通信速度と通信品質の組合せが考えられ、通信性能が高いとは通信速度または通信品質が高いことを意味する。各実施の形態では、通信性能が通信速度からなる場合を例として説明するが、これに限定されるものではなく、通信性能が通信品質であってもよく、通信速度と通信品質の組合せであってもよい。
【００２４】
上位装置５０は、全体としてサーバ装置などの情報処理装置からなり、無線端末１０で検出された検出データを、アクセスポイント２０および中継装置３０を介して通信ネットワーク４０から受信し、これら検出データに応じた各種サービスを提供する機能を有している。
中継装置３０は、ゲートウェイなどの中継装置からなり、無線端末１０と上位装置５０との通信経路上に配置されて、無線端末１０から上位装置５０へ送信する検出データ（対象データ）を中継転送する機能を有している。
【００２５】
［無線端末］
無線端末１０には、主な機能部として、センサ１１、データ監視部１２、データ処理部１３、第１の端末無線部１４、第２の端末無線部１５、端末制御部１６、および端末電源部１７が設けられている。
【００２６】
センサ１１は、一般的なセンサ素子からなり、例えば温度、湿度、振動、圧力などの物理量を検出データとして検出して出力する機能を有している。
データ監視部１２は、センサ１１から一定の基準周期で取得した検出データのセンサ値を監視することにより、センサ値の変動有無を検知する機能を有している。
【００２７】
検出データの変動有無については、センサ値の変化状況に基づき検知すればよい。すなわち、所定の演算結果が予め設定されている基準値を超えた場合に変動ありと検知する。例えば、時系列的に連続して取得した２つの検出データのセンサ値の差分が、予め設定されている基準値を超えた場合に変動ありと検知してもよい。あるいはセンサ値の移動平均値が、予め設定されている基準値を超えた場合に変動ありと検知してもよい。このほか、予め設定されている基準値をセンサ値が超えた場合に変動ありと検知してもよい。これら基準値については、センサ１１や検出データが持つ物理的な応答性能や、検出データを用いて提供するサービスで必要とされる応答特性に応じて、適宜設定すればよい。
【００２８】
データ処理部１３は、データ監視部１２で検知された検出データの変動有無に応じて、検出データの一部または全てを無線送信すべき対象データとして抽出する機能を有している。
より具体的な機能として、データ処理部１３は、検知の結果が変動なしを示す場合には、無線送信すべき対象データとして検出データの一部を抽出し、検知の結果が変動ありを示す場合には、対象データとして検出データの全てを抽出する機能を有している。
【００２９】
第１の端末無線部１４は、端末制御部１６から出力された検出データを受け取って、予め設定された第１の通信速度（データ転送レート）の無線通信方式で、通信相手となるアクセスポイント２０へ無線送信する機能を有している。
【００３０】
第２の端末無線部１５は、端末制御部１６から出力された検出データを受け取って、第１の通信速度より速い予め設定された第２の通信速度（データ転送レート）の無線通信方式で、通信相手となるアクセスポイント２０へ無線送信する機能を有している。
【００３１】
端末制御部１６は、データ処理部１３で検知された検出データの変動有無に応じて、第１の端末無線部１４または第２の端末無線部１５のいずれか一方を切替選択する機能と、データ処理部１３から出力された検出データを受け取って、切替選択した第１の端末無線部１４または第２の端末無線部１５のいずれかへ出力する機能とを有している。
より具体的な機能として、端末制御部１６は、検知の結果が変動なしを示す場合には、第１の端末無線部１４を選択して対象データを無線送信し、検知の結果が変動ありを示す場合には、第２の端末無線部１５を選択して対象データとして無線送信する機能を有している。
【００３２】
端末電源部１７は、無線端末１０の各機能部へ動作電源を供給する機能を有している。この際、端末制御部１６からの指示に応じて、第１の端末無線部１４または第２の端末無線部１５のいずれか一方にのみ動作電源を供給し、他方への動作電源の供給を停止してもよい。
【００３３】
［アクセスポイント］
アクセスポイント（ＡＰ）２０には、主な機能部として、第１のＡＰ無線部２１、第２のＡＰ無線部２２、ＡＰ制御部２３、通信Ｉ／Ｆ部２４、およびＡＰ電源部２５が設けられている。
【００３４】
第１のＡＰ無線部２１は、予め設定された第１の通信速度の無線通信方式で、無線端末１０の第１の端末無線部１４から無線送信された検出データ（対象データ）を受信する機能を有している。
第２のＡＰ無線部２２は、第１の通信速度より高い予め設定された第２の通信速度の無線通信方式で、無線端末１０の第２の端末無線部１５から無線送信された検出データ（対象データ）を受信する機能を有している。
【００３５】
ＡＰ制御部２３は、第１のＡＰ無線部２１または第２のＡＰ無線部２２で受信した検出データを受け取って、通信Ｉ／Ｆ部２４から中継装置３０および通信ネットワーク４０を介して上位装置５０へ送信する機能と、上位装置５０や中継装置３０から送信された各種指示を通信Ｉ／Ｆ部２４から受け取って第１のＡＰ無線部２１または第２のＡＰ無線部２２から無線端末１０へ送信する機能とを有している。
【００３６】
通信Ｉ／Ｆ部２４は、中継装置３０および通信ネットワーク４０を介して上位装置５０とデータ通信を行うことにより、無線端末１０から上位装置５０宛て送信された検出データや、上位装置５０や中継装置３０から無線端末１０宛てに送信された各種指示をやり取りする機能を有している。
【００３７】
ＡＰ電源部２５は、アクセスポイント２０の各機能部へ動作電源を供給する機能を有している。この際、ＡＰ制御部２３からの指示に応じて、第１のＡＰ無線部２１または第２のＡＰ無線部２２のいずれか一方にのみ動作電源を供給し、他方への動作電源の供給を停止してもよい。
【００３８】
［第１の実施の形態の動作］
次に、図３を参照して、本実施の形態にかかる無線端末１０における、端末主導による無線送信制御動作について説明する。図３は、第１の実施の形態にかかるデータ送信タイミングを示す説明図であり、図３（ａ）は個別送信の場合、図３（ｂ）は一括送信の場合を示している。
ここでは、第１の端末無線部の送信タイミングがセンサ１１で検出される検出データの検出時間分解能の１／５に相当し、第２の端末無線部の送信タイミングが検出時間分解能に相当する場合を例として説明する。
【００３９】
データ監視部１２は、センサ１１から一定の基準周期で取得した検出データのセンサ値を監視することにより、センサ値の変動有無を検知する。
ここで、図３（ａ）の期間Ｔ１においては、検出データのセンサ値が比較的安定していることから、データ監視部１２によりセンサ値の変動なしと検知される。このためデータ処理部１３では、変動なしが検知された後においては、検出データからその一部、すなわち変動なしに対応する５回に１回の割合で、無線送信すべき対象データとして抽出されることになる。
【００４０】
また、変動なしの検知結果に応じて、端末制御部１６により、第１の端末無線部１４が選択されて、データ処理部１３で抽出された対象データが第１の端末無線部１４へ出力される。これにより、第１の端末無線部１４からアクセスポイント２０に対して、検出データから５回に１回の割合で抽出された対象データが、第１の通信速度で無線送信される。
【００４１】
続く、図３（ａ）の期間Ｔ２においては、検出データのセンサ値がある程度変動し始めたことから、データ監視部１２によりセンサ値の変動ありと検知される。このためデータ処理部１３では、変動ありが検知された後においては、検出データからその全部、すなわち変動ありに対応する１回に１回の割合で、無線送信すべき対象データとして抽出されることになる。
【００４２】
また、変動ありの検知結果に応じて、端末制御部１６により、第２の端末無線部１５が選択されて、データ処理部１３で抽出された対象データが第２の端末無線部１５へ出力される。これにより、第２の端末無線部１５からアクセスポイント２０に対して、検出データから１回に１回の割合で抽出された対象データが、第１の通信速度で個別に無線送信される。
【００４３】
この後、図３（ａ）の期間Ｔ３においては、センサ値の変動が収まって安定したことから、データ監視部１２によりセンサ値の変動なしと検知される。このためデータ処理部１３では、前述した期間Ｔ１と同様にして、変動なしが検知された後においては、検出データからその一部、すなわち変動なしに対応する５回に１回の割合で、無線送信すべき対象データとして抽出されることになる。
【００４４】
また、変動なしの検知結果に応じて、端末制御部１６により、前述した期間Ｔ１と同様にして、第１の端末無線部１４が選択されて、データ処理部１３で抽出された対象データが第１の端末無線部１４へ出力される。これにより、第１の端末無線部１４からアクセスポイント２０に対して、検出データから５回に１回の割合で抽出された対象データが、第１の通信速度で無線送信される。
【００４５】
なお、期間Ｔ２については、図３（ｂ）に示すように、個々の対象データを個別に無線送信せず、複数まとめて一括送信してもよい。
この場合、変動ありの検知結果に応じて、端末制御部１６により、データ処理部１３で抽出された対象データを、例えば５つ分だけ蓄積して１つの一括データにまとめ、第２の端末無線部１５からアクセスポイント２０に対して無線送信してもよい。
【００４６】
［第１の実施の形態の効果］
このように、本実施の形態は、第１の通信性能で無線通信を行う第１の端末無線部１４と、第１の通信性能より高い第２の通信性能で無線通信を行う第２の端末無線部１５とを設け、データ監視部１２が、センサ１１で検出した検出データのセンサ値を監視することによりセンサ値の変動有無を検知し、データ処理部１３が、変動有無に応じて検出データの一部または全てを無線送信すべき対象データとして抽出し、端末制御部１６が、変動有無に応じて第１の端末無線部１４または第２の端末無線部１５のいずれか一方を選択して対象データを無線送信するようにしたものである。
【００４７】
より具体的には、データ処理部１３において、検知の結果が変動なしを示す場合には、検出データの一部を対象データとして抽出し、検知の結果が変動ありを示す場合には、検出データの全てを対象データとして抽出し、端末制御部１６において、検知の結果が変動なしを示す場合には、第１の端末無線部１４を選択して対象データを無線送信し、検知の結果が変動ありを示す場合には、第２の端末無線部１５を選択して対象データとして無線送信するようにしたものである。
【００４８】
一般的には、検出データのセンサ値に変動がなく比較的安定している場合には、上位装置５０で提供するサービスの内容も大きく変化することはない。このため、頻繁に検出データを送信する必要がなく、無線端末１０から上位装置５０へ無線送信すべき対象データの時間分解能は低くてもよい。一方、検出データのセンサ値が比較的変動している場合には、上位装置５０で提供するサービスの内容も変化する可能性が高い。このため、頻繁に検出データを送信する必要があり、無線端末１０から上位装置５０へ無線送信すべき対象データの時間分解能を高くする必要がある。
【００４９】
本発明は、このようなセンサ値の変動と上位装置５０へ無線送信すべき対象データの時間分解能との関係に着目し、センサ値の変動が検知されていない場合には、通信性能が比較的低い第１の端末無線部１４を選択して対象データを無線送信し、センサ値の変動が検知されている場合には、通信性能が比較的高い第２の端末無線部１５を選択して対象データを無線送信するようにしたものである。
【００５０】
通常、通信性能が高くなるにつれて、必要となる電波資源および消費電力が増大する傾向にある。本発明によれば、センサ値の変動が検知されていない場合には、第１の端末無線部１４が用いられるため、少ない電波資源および消費電力で検出データを送信でき、センサ値の変動が検知されている場合には、第２の端末無線部１５が用いられるため、必要とされる時間分解能を損なうことなく検出データを送信できる。したがって、必要とされる時間分解能を損なうことなく、少ない電波資源および消費電力で検出データを効率よく送信することが可能となる。
【００５１】
［第２の実施の形態］
次に、図４を参照して、本発明の第２の実施の形態にかかる無線端末１０およびセンサネットワークシステム１について説明する。図４は、第２の実施の形態にかかるセンサネットワークシステムの構成例である。
【００５２】
第１の実施の形態では、無線端末１０が主導で無線送信制御を行う場合を例として説明した。本実施の形態は、無線端末１０と上位装置５０とが連携して無線送信制御する場合、特に上位装置５０が第２の端末無線部１５から第１の端末無線部１４への切り戻し制御を行う場合について説明する。
【００５３】
本実施の形態において、データ処理部１３は、無線端末１０から無線送信した対象データのセンサ値から上位装置５０で検知した変動なしに基づいて、上位装置５０から通知された切り戻し指示に応じて、対象データとして検出データの一部を抽出するよう切り替え制御する機能を有している。
【００５４】
また、端末制御部１６は、上位装置５０から通知された上記切り戻し指示に応じて第１の端末無線部１４を選択して対象データを無線送信するよう切り替え制御する機能を有している。
無線端末１０におけるこのほかの構成については、第１の実施の形態とほぼ同様であり、ここでの詳細な説明は省略する。
【００５５】
上位装置５０の構成としては、無線端末１０から無線送信した検出データ（対象データ）のセンサ値を監視することによりセンサ値の変動有無を検知するデータ監視部と、データ監視部で変動なしが検知された場合には、無線端末１０に対して切り戻し指示を通知する通信制御部とを設けてもよい。
あるいは、上位装置５０で無線端末１０からの検出データに基づきサービスを提供するアプリケーション処理部における、検出データに関する高時間分解能の不要判定に応じて、通信制御部が無線端末１０に対して切り戻し指示を通知するようにしてもよい。
【００５６】
［第２の実施の形態の動作］
次に、図５を参照して、本実施の形態にかかる無線端末１０における、上位装置５０と連携した無線送信制御動作について説明する。図５は、第２の実施の形態にかかるデータ送信タイミングを示す説明図であり、図５（ａ）は個別送信の場合、図５（ｂ）は一括送信の場合を示している。
ここでは、第１の端末無線部の送信タイミングがセンサ１１で検出される検出データの検出時間分解能の１／５に相当し、第２の端末無線部の送信タイミングが検出時間分解能に相当する場合を例として説明する。
【００５７】
図５（ａ）の期間Ｔ２においては、検出データのセンサ値がある程度変動し始めたことから、データ監視部１２によりセンサ値の変動ありと検知される。このためデータ処理部１３では、これ以降、検出データからその全部、すなわち変動ありに対応する１回に１回の割合で、無線送信すべき対象データとして抽出される。
【００５８】
また、変動ありの検知結果に応じて、端末制御部１６により、第２の端末無線部１５が選択されて、データ処理部１３で抽出された対象データが第２の端末無線部１５へ出力される。これにより、変動ありが検知された以降については、第２の端末無線部１５からアクセスポイント２０に対して、検出データから１回に１回の割合で抽出された対象データが、第２の通信速度で個別に無線送信される。
【００５９】
この後、図５（ａ）の期間Ｔ３においては、センサ値の変動が収まって安定したことから、上位装置５０においてセンサ値の変動なしと検知され、無線端末１０へ切り戻し指示が通知される。第２の端末無線部１５による切り戻し指示の受信に応じて、データ処理部１３では、期間Ｔ１と同様にして、これ以降、検出データからその一部、すなわち変動なしに対応する５回に１回の割合で、無線送信すべき対象データとして抽出される。
【００６０】
また、切り戻し指示の受信に応じて、端末制御部１６により、期間Ｔ１と同様にして、第１の端末無線部１４が選択されて、データ処理部１３で抽出された対象データが第１の端末無線部１４へ出力される。これにより、切り戻し指示以降については、第１の端末無線部１４からアクセスポイント２０に対して、検出データから５回に１回の割合で抽出された対象データが、第１の通信速度で無線送信される。
【００６１】
なお、検出データから１回に１回の割合で抽出された対象データを送信する場合には、図５（ｂ）に示すように、個々の対象データを個別に無線送信せず、複数まとめて一括送信してもよい。
この場合、変動ありの検知結果に応じて、端末制御部１６により、データ処理部１３で抽出された対象データを、例えば５つ分だけ蓄積して１つの一括データにまとめ、第２の端末無線部１５からアクセスポイント２０に対して無線送信してもよい。
【００６２】
［第２の実施の形態の効果］
このように、本実施の形態は、データ処理部１３が、上位装置５０から通知された切り戻し指示に応じて、対象データとして検出データの一部を抽出するものとし、端末制御部１６が、上記切り戻し指示に応じて第１の端末無線部１４を選択して対象データを無線送信するようにしたものである。
【００６３】
これにより、上位装置５０において、センサ値の変動が収まったことが検知されてから、無線端末１０において、第２の端末無線部１５から第１の端末無線部１４への切り戻しが行われることになる。したがって、第２の端末無線部１５の使用期間を上位装置５０側で検知された変動有無に応じて適切に切り替えることができ、より安定した無線送信制御を実現することが可能となる。
【００６４】
なお、本実施の形態については、第１の実施の形態と組み合わせて実施した場合には、無線端末１０と上位装置５０との両方で、センサ値の変動なしを確認することができ、変動なしの検知もれが極めて少ない、より正確で安定した無線送信制御を実現できる。
一方、本実施の形態を独立して実施した場合には、上位装置５０が主導してセンサ値の変動なしを確認することができ、上位装置５０における検出データの要否に応じた、より効率的な無線送信制御を実現することが可能となる。
【００６５】
［第３の実施の形態］
次に、図６を参照して、本発明の第３の実施の形態にかかる無線端末１０およびセンサネットワークシステム１について説明する。図６は、第３の実施の形態にかかるセンサネットワークシステムの構成例である。
【００６６】
第２の実施の形態では、上位装置５０からの切り戻し指示に応じて、第２の端末無線部１５から第１の端末無線部１４への切り戻しする場合を例として説明した。本実施の形態は、無線端末１０と上位装置５０とが連携して無線送信制御する場合、特に上位装置５０が第１の端末無線部１４から第２の端末無線部１５への切り替え制御を行う場合について説明する。
【００６７】
本実施の形態において、端末制御部１６は、無線端末１０から無線送信した対象データのセンサ値から上位装置５０で検知した変動ありに基づいて、上位装置５０から通知された切り替え指示に応じて第２の端末無線部１５を選択して対象データを無線送信する機能を有している。
無線端末１０におけるこのほかの構成については、第１の実施の形態や第２の実施の形態とほぼ同様であり、ここでの詳細な説明は省略する。
【００６８】
上位装置５０の構成としては、無線端末１０から無線送信した検出データ（対象データ）のセンサ値を監視することによりセンサ値の変動有無を検知するデータ監視部と、データ監視部で変動ありが検知された場合には、無線端末１０に対して切り替え指示を通知する通信制御部とを設けてもよい。
あるいは、上位装置５０で無線端末１０からの検出データに基づきサービスを提供するアプリケーション処理部における、検出データに関する高時間分解能の必要判定に応じて、通信制御部が無線端末１０に対して切り替え指示を通知するようにしてもよい。
【００６９】
［第３の実施の形態の動作］
次に、図７を参照して、本実施の形態にかかる無線端末１０における、上位装置５０と連携した無線送信制御動作について説明する。図７は、第３の実施の形態にかかるデータ送信タイミングを示す説明図であり、図７（ａ）は個別送信の場合、図７（ｂ）は一括送信の場合を示している。
ここでは、第１の端末無線部の送信タイミングがセンサ１１で検出される検出データの検出時間分解能の１／５に相当し、第２の端末無線部の送信タイミングが検出時間分解能に相当する場合を例として説明する。
【００７０】
図７（ａ）の期間Ｔ２においては、検出データのセンサ値がある程度変動し始めたことから、データ監視部１２によりセンサ値の変動ありと検知される。このためデータ処理部１３では、変動ありが検知された後においては、検出データからその全部、すなわち変動ありに対応する１回に１回の割合で、無線送信すべき対象データとして抽出される。
【００７１】
この際、変動ありが検知された後においても、端末制御部１６により、データ処理部１３で抽出された対象データがそれまでと同様にして第１の端末無線部１４へ出力される。これにより、第１の端末無線部１４からアクセスポイント２０に対して、検出データから１回に１回の割合で抽出された対象データが、第１の通信速度で個別に無線送信されることになる。
【００７２】
この後、上位装置５０においてセンサ値の変動ありと検知され、無線端末１０へ切り替え指示が通知される。第１の端末無線部１４による切り替え指示の受信に応じて、端末制御部１６により、第２の端末無線部１５が選択されて、データ処理部１３で抽出された対象データが第２の端末無線部１５へ出力される。これにより、切り替え指示以降については、第２の端末無線部１５からアクセスポイント２０に対して、検出データから１回に１回の割合で抽出された対象データが、第２の通信速度で個別に無線送信されることになる。
【００７３】
なお、検出データから１回に１回の割合で抽出された対象データを送信する場合には、図７（ｂ）に示すように、個々の対象データを個別に無線送信せず、複数まとめて一括送信してもよい。
この場合、変動ありの検知結果に応じて、端末制御部１６により、データ処理部１３で抽出された対象データを、例えば５つ分だけ蓄積して１つの一括データにまとめ、第１の端末無線部１４または第２の端末無線部１５からアクセスポイント２０に対して無線送信してもよい。
【００７４】
［第３の実施の形態の効果］
このように、本実施の形態は、端末制御部１６が、上位装置５０から通知された切り替え指示に応じて第２の端末無線部１５を選択して対象データを無線送信するようにしたものである。
【００７５】
これにより、上位装置５０において、センサ値の変動が検知してから、無線端末１０において、第１の端末無線部１４から第２の端末無線部１５への切り替えが行われる。したがって、第２の端末無線部１５の使用期間を上位装置５０側での変動有無に応じて適切に切り替えることができ、より効率的な無線送信制御を実現することが可能となる。
【００７６】
なお、本実施の形態については、第１の実施の形態と組み合わせて実施した場合には、無線端末１０と上位装置５０との両方で、センサ値の変動ありを確認することができ、変動ありの検知もれが極めて少ない、より正確で安定した無線送信制御を実現できる。
一方、本実施の形態を独立して実施した場合には、上位装置５０が主導してセンサ値の変動ありを確認することができ、上位装置５０における検出データの要否に応じた、より効率的な無線送信制御を実現することが可能となる。
また、第２の実施の形態と組み合わせて実施した場合には、上位装置５０が主導してセンサ値の変動有無を確認することができ、上位装置５０における検出データの要否に応じた、極めて効率的な無線送信制御を実現することが可能となる。
【００７７】
［第４の実施の形態］
次に、図８を参照して、本発明の第４の実施の形態にかかる無線端末１０およびセンサネットワークシステム１について説明する。図８は、第４の実施の形態にかかるセンサネットワークシステムの構成例である。
【００７８】
第２および第３の実施の形態では、無線端末１０が上位装置５０と連携して無線送信制御する場合について説明したが、図８に示すように、上位装置５０に代えて、無線端末１０が中継装置３０と連携して無線送信制御する場合について説明する。なお、無線端末１０が連携する装置としては、中継装置３０に限定されるものではなく、アクセスポイント２０や、上位装置５０とアクセスポイント２０との間に接続された通信装置と連携することも可能である。
【００７９】
本実施の形態において、中継装置３０は、第２および第３の実施の形態で説明した上位装置５０の一部機能、すなわち、無線端末１０の第２の端末無線部１５から無線送信した検出データ（対象データ）のセンサ値を監視することによりセンサ値の変動有無を検知する機能と、変動なしが検知された場合には、無線端末１０に対して切り戻し指示を通知する機能、あるいは、変動ありが検知された場合には、無線端末１０に対して切り替え指示を通知する機能を有している。
【００８０】
これにより、センサ値の変動有無が中継装置３０ではなく、無線端末１０により近い中継装置３０（通信装置）で検知することができる。したがって、中継装置３０（通信装置）から上位装置５０までの区間に位置する、通信ネットワーク４０などの通信資源における負荷を軽減することができる。
【００８１】
［第５の実施の形態］
次に、図９を参照して、本発明の第５の実施の形態にかかる無線端末１０およびセンサネットワークシステム１について説明する。図９は、第５の実施の形態にかかる無線端末の構成を示すブロック図である。
【００８２】
第１〜第２の実施の形態では、第１の端末無線部１４および第２の端末無線部１５が、いずれも双方向で無線通信する場合を例として説明した。本実施の形態では、第１の端末無線部１４が片方向で無線通信、すなわち無線送信のみを行うものとし、第２の端末無線部１５が双方向で無線通信する場合について説明する。
【００８３】
本実施の形態において、第１の端末無線部１４は、対象データの無線送信のみを行う片方向無線通信部から構成されている。
無線端末１０におけるこのほかの構成については、第１の実施の形態や第２の実施の形態とほぼ同様であり、ここでの詳細な説明は省略する。
【００８４】
［第５の実施の形態の動作］
次に、図１０を参照して、本実施の形態にかかる無線端末１０の動作について説明する。図１０は、第５の実施の形態にかかる無線端末での無線部切り替え制御動作を示す説明図である。
ここでは、第１の実施の形態と同様にして、データ監視部１２で検知されたセンサ値の変動有無に応じて第１の端末無線部１４と第２の端末無線部１５とを切り替え制御する場合について説明する。
【００８５】
図１０の期間Ｔ１において、変動なしが検知されている場合、端末制御部１６は、第１の端末無線部１４を選択し（ＴＴＸ１＿ＯＮ）、アクセスポイント２０の第１のＡＰ無線部２１（ＡＲＸ１＿ＯＮ）に対して、対象データを片方向で無線送信する。
この後、期間Ｔ２において、変動ありが検出された場合、端末制御部１６は、直ちに第１の端末無線部１４からの無線送信を停止して、第２の端末無線部１５を選択する（ＴＴＸ２＿ＯＮ，ＴＲＸ２＿ＯＮ）。
【００８６】
これにより、第１の端末無線部１４からの無線送信の停止に応じて、アクセスポイント２０の第２のＡＰ無線部２２が選択されて（ＡＴＸ２＿ＯＮ，ＡＲＸ２＿ＯＮ）、切り替え要求が送信され、第２の端末無線部１５で受信される。
これに応じて、端末制御部１６は、第２の端末無線部１５と第２のＡＰ無線部２２との間で双方向による無線通信を開始する。これにより、第２の端末無線部１５から第２のＡＰ無線部２２へ、対象データの無線送信が開始される。
【００８７】
この後、アクセスポイント２０の第２のＡＰ無線部２２から、切り戻し要求が送信された場合、端末制御部１６は、第２の端末無線部１５を停止して第１の端末無線部１４を選択し（ＴＴＸ１＿ＯＮ）、第１のＡＰ無線部２１（ＡＲＸ１＿ＯＮ）との間で片方向による無線通信を開始する。これにより、第１の端末無線部１４から第１のＡＰ無線部２１に対して、対象データの無線送信が開始される。
【００８８】
［第５の実施の形態の効果］
このように、本実施の形態では、第１の端末無線部１４は、対象データの無線送信のみを行う片方向無線通信部から構成したので、対象データを無線送信しない期間についてはアクセスポイント２０からの受信を行う必要がないため、電力消費が削減されることになる。このため、双方向で無線通信を行う場合と比較して、無線通信に要する電力消費を削減することができる。
【００８９】
［第６の実施の形態］
次に、図１１を参照して、本発明の第６の実施の形態にかかる無線端末１０およびセンサネットワークシステム１について説明する。図１１は、第６の実施の形態にかかるセンサネットワークシステムの構成例である。
【００９０】
第３の実施の形態では、上位装置５０が第１の端末無線部１４から第２の端末無線部１５への切り替え制御を行う際に、無線端末１０がセンサ値の変動ありを検出して、検出データの全てを対象データとして抽出する場合を例として説明した。本実施の形態では、上位装置５０からの切り替え指示に応じて、検出データの全てを対象データとして抽出する場合について説明する。
【００９１】
本実施の形態において、データ処理部１３は、無線端末１０から無線送信した対象データのセンサ値から上位装置５０で検知した変動ありに基づいて、上位装置５０から通知された切り替え指示に応じて、検出データの全てを対象データとして抽出する機能を有している。
また、端末制御部１６は、上記切り替え指示に応じて第２の端末無線部１５を選択して対象データを無線送信する機能を有している。
無線端末１０におけるこのほかの構成については、第３の実施の形態とほぼ同様であり、ここでの詳細な説明は省略する。
【００９２】
上位装置５０の構成としては、無線端末１０の第２の端末無線部１５から無線送信した検出データ（対象データ）のセンサ値を監視することによりセンサ値の変動有無を検知するデータ監視部と、データ監視部で変動ありが検知された場合には、無線端末１０に対して切り替え指示を通知する通信制御部とを設けてもよい。
あるいは、上位装置５０で無線端末１０からの検出データに基づきサービスを提供するアプリケーション処理部における、検出データに関する高時間分解能の必要判定に応じて、通信制御部が無線端末１０に対して切り替え指示を通知するようにしてもよい。
【００９３】
［第６の実施の形態の動作］
次に、図１２を参照して、本実施の形態にかかる無線端末１０における、上位装置５０と連携した無線送信制御動作について説明する。図１２は、第６の実施の形態にかかるデータ送信タイミングを示す説明図であり、図１２（ａ）は個別送信の場合、図１２（ｂ）は一括送信の場合を示している。
ここでは、第１の端末無線部の送信タイミングがセンサ１１で検出される検出データの検出時間分解能の１／５に相当し、第２の端末無線部の送信タイミングが検出時間分解能に相当する場合を例として説明する。
【００９４】
図１２（ａ）の期間Ｔ１の後半において、検出データのセンサ値がある程度変動し始めたことから、上位装置５０によりセンサ値の変動ありと検知され、無線端末１０へ切り替え指示が通知される。
したがって、図１２（ａ）の期間Ｔ２において、第１の端末無線部１４による切り替えの受信に応じて、データ処理部１３では、期間Ｔ１と同様にして、これ以降、検出データからその全部、すなわち変動ありに対応する１回に１回の割合で、無線送信すべき対象データとして抽出される。
【００９５】
また、切り替え指示の受信に応じて、端末制御部１６により、第２の端末無線部１５が選択されて、データ処理部１３で抽出された対象データが第２の端末無線部１５へ出力される。これにより、切り替え指示以降については、第２の端末無線部１５からアクセスポイント２０に対して、検出データから１回に１回の割合で抽出された対象データが、第２の通信速度で無線送信される。
【００９６】
なお、検出データから１回に１回の割合で抽出された対象データを送信する場合には、図１２（ｂ）に示すように、個々の対象データを個別に無線送信せず、複数まとめて一括送信してもよい。
この場合、変動ありの検知結果に応じて、端末制御部１６により、データ処理部１３で抽出された対象データを、例えば５つ分だけ蓄積して１つの一括データにまとめ、第２の端末無線部１５からアクセスポイント２０に対して無線送信してもよい。
【００９７】
［第６の実施の形態の効果］
このように、本実施の形態は、データ処理部１３が、上位装置５０から通知された切り替え指示に応じて、検出データの全てを対象データとして抽出するものとし、端末制御部１６が、上記切り替え指示に応じて第２の端末無線部１５を選択して対象データを無線送信するようにしたものである。
【００９８】
これにより、上位装置５０において、センサ値の変動が検知してから、無線端末１０において、検出データの全てを対象データとして抽出を開始するとともに、第１の端末無線部１４から第２の端末無線部１５への切り替えが行われる。したがって、対象データの抽出切り替えと、第２の端末無線部１５の使用期間の両方を、上位装置５０側での変動有無に応じて適切に切り替えることができ、より効率的な無線送信制御を実現することが可能となる。
【００９９】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【０１００】
１…センサネットワークシステム、１０…無線端末、１１…センサ、１２…データ監視部、１３…データ処理部、１４…第１の端末無線部、１５…第２の端末無線部、１６…端末制御部、１７…端末電源部、２０…アクセスポイント、２１…第１のＡＰ無線部、２２…第２のＡＰ無線部、２３…ＡＰ制御部、２４…通信Ｉ／Ｆ部、２５…ＡＰ電源部、３０…中継装置、４０…通信ネットワーク、５０…上位装置。
【図１】
0006473092.tif 000002
【図２】
0006473092.tif 000003
【図３】
0006473092.tif 000004
【図４】
0006473092.tif 000005
【図５】
0006473092.tif 000006
【図６】
0006473092.tif 000007
【図７】
0006473092.tif 000008
【図８】
0006473092.tif 000009
【図９】
0006473092.tif 000010
【図１０】
0006473092.tif 000011
【図１１】
0006473092.tif 000012
【図１２】
0006473092.tif 000013
【図１３】
0006473092.tif 000014
【図１４】
0006473092.tif 000015